(57)【要約】本発明は、情報処理分野に適用し、画像編集動作の共有方法及びシステムを提供する。前記方法は、共有プラットフォームが、各送信側から送信された画像編集動作情報を受信して記憶するステップと、要求側が、共有プラットフォームへ画像編集動作情報の共有要求を送信するステップと、共有プラットフォームが、前記共有要求に対応する画像編集動作情報を検索して、検索された画像編集動作情報を要求側に送信するステップと、要求側が、共有プラットフォームから返された画像編集動作情報により、選定された画像に対して編集処理を行うステップと、を含む。本発明は、画像編集動作情報を直接にスケジューリングしまたは共有するにより、画像編集に対する各ユーザの複雑な操作を効果的に減少し、画像編集の効率を向上することができる。【選択図】図１
2014524165.tif 000002
【特許請求の範囲】
【請求項１】
画像編集動作の共有方法であって、
共有プラットフォームが各送信側から送信された画像編集動作情報を受信して記憶するステップと、
共有プラットフォームが要求側から送信された画像編集動作情報の共有要求を受信するステップと、
共有プラットフォームが前記共有要求に対応する画像編集動作情報を検索し、検索された画像編集動作情報を要求側に送信するステップとを含むことを特徴とする、前記方法。
【請求項２】
前記画像編集動作情報は、元の画像、少なくとも１つの編集動作が記憶されたファイル及び編集処理後の画像を含むことを特徴とする
請求項１に記載の方法。
【請求項３】
前記共有プラットフォームが各送信側から送信された画像編集動作情報を受信する前に、前記方法は、更に、
送信側が、選定された元の画像を受信し、前記元の画像についての編集トリガ動作を取り込んだ場合、対応する編集動作を記録するステップと、
送信側が、前記元の画像編集が完了された場合、前記元の画像に対する編集動作情報を前記共有プラットフォームに送信するステップとを含むことを特徴とする
請求項１に記載の方法。
【請求項４】
前記検索された画像編集動作情報を前記要求側に送信した後に、前記方法は、更に、
要求側が、共有プラットフォームから返された画像編集動作情報により、選定された画像に対して編集処理を行うステップを含むことを特徴とする
請求項１に記載の方法。
【請求項５】
共有プラットフォームであって、
各送信側から送信された画像編集動作情報を受信して記憶するように設定され、さらに、要求側から送信された画像編集動作情報の共有要求を受信するように設定される第１の情報受信ユニットと、
前記要求側から送信された画像編集動作情報の共有要求を受信した場合、前記共有要求に対応する画像編集動作情報を検索するように設定される情報検索ユニットと、
検索された、前記共有要求に対応する画像編集動作情報を要求側に送信するように設定される第２の情報送信ユニットとを含むことを特徴とする、前記共有プラットフォーム。
【請求項６】
前記画像編集動作情報は、元の画像、少なくとも１つの編集動作が記憶されたファイル及び編集処理後の画像を含むことを特徴とする
請求項５に記載の方法。
【請求項７】
画像編集動作の共有システムであって、共有プラットフォーム、少なくとも１つの送信側及び少なくとも１つの要求側を含み、
前記送信側は、共有プラットフォームへ画像編集動作情報を送信するように設定され、
前記共有プラットフォームは、各送信側から送信された画像編集動作情報を受信して記憶し、前記要求側から送信された画像編集動作情報の共有要求を受信した場合、前記共有要求に対応する画像編集動作情報を検索し、検索された画像編集動作情報を要求側に送信するように設定され、
前記要求側は、共有プラットフォームへ画像編集動作情報の共有要求を送信し、前記共有プラットフォームから返された、前記共有要求に対応する画像編集動作情報を受信し、当該画像編集動作情報により、選定された画像に対して編集処理を行うように設定されることを特徴とする、前記画像編集動作の共有システム。
【請求項８】
前記送信側は、共有プラットフォームへ画像編集動作情報を送信するように設定される第１の情報送信ユニットを含むことを特徴とする
請求項７に記載のシステム。
【請求項９】
前記第１の情報送信ユニットは、
選定された元の画像を受信するように設定される画像受信ユニットと、
前記元の画像についての編集トリガ動作を取り込んだ場合、対応する編集動作を記録するように設定される動作記録ユニットと、
前記元の画像の編集が完了された場合、前記元の画像についての編集動作情報を共有プラットフォームに送信するように設定される第３の情報送信ユニットとを含むことを特徴とする
請求項８に記載のシステム。
【請求項１０】
前記共有プラットフォームは、
各送信側から送信された画像編集動作情報を受信して記憶するように設定される第１の情報受信ユニットと、
前記要求側から送信された画像編集動作情報の共有要求を受信した場合、前記共有要求に対応する画像編集動作情報を検索するように設定される情報検索ユニットと、
検索された、前記共有要求に対応する画像編集動作情報を要求側に送信するように設定される第２の情報送信ユニットとをふくむことを特徴とする
請求項７に記載のシステム。
【請求項１１】
前記要求側は、
共有プラットフォームへ画像編集動作情報の共有要求を送信するように設定される要求送信ユニットと、
前記共有プラットフォームから返された、前記共有要求に対応する画像編集動作情報を受信するように設定される第２の情報受信ユニットと、
前記共有プラットフォームから返された画像編集動作情報により、選定された画像に対して編集処理を行うように設定される編集処理ユニットとを含むことを特徴とする
請求項７に記載のシステム。
【請求項１２】
前記画像編集動作情報は、元の画像、少なくとも１つの編集動作が記憶されたファイル及び編集処理後の画像を含むことを特徴とする
請求項７〜１１のいずれか一項に記載のシステム。
【発明の詳細な説明】
【技術分野】
【０００１】
本出願は、２０１１年８月１日に出願された中国特許出願番号が２０１１１０２１８４２７．５で、出願者が騰訊科技（深セン）有限公司で、発明名称が「画像編集動作の共有方法及びシステム」である出願に優先権を主張し、その全体が引用によってここに取り込まれている。
【０００２】
本発明は、情報処理分野に属し、特に画像編集動作の共有方法、共有プラットフォーム及びシステムに関する。
【背景技術】
【０００３】
ネットワーク上の既存の多くの画像は、すべてユーザが関連する編集ソフトウェア（例えばｐｈｏｔｏｓｈｏｐなど）で編集されて共有されるものである。ユーザは、これらの画像を編集する場合に、一定の専門知識と専門スキルを持っている必要がある。ある複雑な画像の編集については、ユーザに対する要求限界が高いため、大部分のユーザに適用できない。
【０００４】
現在、ネットワークにおいて多くの関連する画像編集チュートリアルがあり、ユーザは、これらの画像編集チュートリアルによって画像の編集を完了することができる。しかし、これらの画像編集チュートリアルにおける画像編集動作は、直接にスケジューリングされるまたは共有されることができないため、ある複雑な画像編集プロセスに対して、ユーザは、画像編集チュートリアルに従って徐々に完了する必要があり、操作が複雑で、時間が無駄になることだけでなく、エラーが発生しやすい。
【発明の概要】
【課題を解決するための手段】
【０００５】
本発明の実施形態は、従来技術において画像編集動作が直接にスケジューリングされるまたは共有されることを実現できない問題を解決する、画像編集動作の共有方法、共有プラットフォーム及びシステムを提供することを目的とする。
【０００６】
本発明における実施形態は、次のように実現される。
【０００７】
画像編集動作の共有方法であって、
共有プラットフォームが、各送信側から送信された画像編集動作情報を受信して記憶するステップと、
要求側が、共有プラットフォームへ画像編集動作情報の共有要求を送信するステップと、
共有プラットフォームが、要求側から送信された画像編集動作情報の共有要求を受信するステップと、
共有プラットフォームが、前記共有要求に対応する画像編集動作情報を検索し、検索された画像編集動作情報を要求側に送信するステップとを含む。
【０００８】
本発明の実施形態に係る共有プラットフォームは、
各送信側から送信された画像編集動作情報を受信して記憶することに用いられ、また要求側から送信された画像編集動作情報の共有要求を受信することに用いられる第１の情報受信ユニットと、
前記要求側から送信された画像編集動作情報の共有要求を受信した場合、前記共有要求に対応する画像編集動作情報を検索する情報検索ユニットと、
検索された、前記共有要求に対応する画像編集動作情報を要求側に送信する第２の情報送信ユニットと、を含む。
【０００９】
本発明の実施形態に係る画像編集動作の共有システムは、共有プラットフォーム、少なくとも１つの送信側及び少なくとも１つの要求側を含み、
前記送信側が、共有プラットフォームへ画像編集動作情報を送信し、
前記共有プラットフォームが、各送信側から送信された画像編集動作情報を受信して記憶し、前記要求側から送信された画像編集動作情報の共有要求を受信した場合、前記共有要求に対応する画像編集動作情報を検索し、検索された画像編集動作情報を要求側に送信し、
前記要求側が、共有プラットフォームへ画像編集動作情報の共有要求を送信し、前記共有プラットフォームから返された、前記共有要求に対応する画像編集動作情報を受信し、当該画像編集動作情報により、選定された画像に対して編集処理を行う。
【００１０】
本発明における実施形態において、共有プラットフォームにより各送信側から送信された画像編集動作情報を受信して記憶し、前記要求側から送信された画像編集動作情報の共有要求を受信した場合、前記共有要求に対応する画像編集動作情報を検索し、検索された画像編集動作情報を要求側に送信し、要求側が当該画像編集動作情報によって選定された画像に対して直接に編集処理を行うことにより、画像編集動作を直接にスケジューリングしまたは共有することを実現し、効果的に画像編集に対する各ユーザの繰り返し操作を減少し、画像編集の効率を向上し、同時に画像編集のエラー率を下げた。
【図面の簡単な説明】
【００１１】
【図１】本発明における実施形態１に係る画像編集動作の共有システムの構造図。
【図２】本発明における実施形態２に係る画像編集動作の共有方法の実現フローチャートである。
【図３】本発明における実施形態２に係る画像編集動作の記憶の具体的な実現フローチャートである。
【図４】本発明における実施形態３に係る画像編集動作の共有システムにおける送信側の構成構造図である。
【図５】本発明における実施形態３に係る第１の情報送信ユニットの構成構造図である。
【図６】本発明における実施形態４に係る画像編集動作の共有システムにおける共有プラットフォームの構成構造図である。
【図７】本発明における実施形態５に係る画像編集動作の共有システムにおける要求側の構成構造図である。
【発明を実施するための形態】
【００１２】
本発明の技術的スキーム及び利点がより明らかになるために、以下、図面及び実施形態を参照しながら、本発明をさらに詳しく説明する。ここで説明する具体的な実施形態は、本発明を解釈用だけであり、本発明が限定されるものではない。
【００１３】
本発明における実施形態において、共有プラットフォームにより各送信側から送信された画像編集動作情報を受信して記憶し、要求側から送信された画像編集動作情報の共有要求を受信した場合、前記共有要求に対応する画像編集動作情報を検索し、検索された画像編集動作情報を要求側に送信し、要求側が当該画像編集動作情報により選定された画像に対して直接に編集処理を行うことにより、ユーザは、一歩ずつに操作して画像の編集を実現する必要がなく、画像編集動作は、直接にスケジューリングされるまたは共有されることができ、それによって画像編集に対する繰り返し操作を効果的に減少し、画像編集の効率を向上し、画像編集エラーの可能性を下げた。
【００１４】
本発明に係る技術的スキームを説明するために、以下、具体的な実施形態で説明する。
【００１５】
実施形態１：
図１は本発明の実施形態に係る画像編集動作の共有システムの構成構造を示し、説明の便宜上、本発明の実施形態に関連する部分のみを示す。
【００１６】
本発明の実施形態において、当該画像編集動作共有システムは、共有プラットフォーム２と、共有プラットフォーム２へ編集済みの画像編集動作情報を送信することに用いられる分散的に設置された１つ以上の送信側１と、分散的に設置された１つ以上の要求側３と、を含み、各送信側１と要求側３がそれぞれに共有プラットフォーム２と通信する。
【００１７】
共有プラットフォーム２は、有線または無線の方式で送信側１と要求側３に接続され、各送信側１から送信された画像編集動作情報を受信して記憶し、要求側３から送信された画像編集動作情報の共有要求を受信した場合、前記共有要求に対応する画像編集動作情報を検索し、検索された画像編集動作情報を要求側３に送信することに用いられる。
【００１８】
共有プラットフォーム２は、さらに、ユーザにヒューマンコンピュータインタラクションインタフェースを提供することに用いられ、ユーザは、ヒューマンコンピュータインタラクションインタフェースを介して、記憶された画像編集動作情報などを見ることができる。
【００１９】
要求側３は、ユーザ端末に位置し、共有プラットフォーム２へ画像編集動作情報の共有要求を送信し、共有プラットフォーム２から返された、前記共有要求に対応する画像編集動作情報を受信し、当該画像編集動作情報により、選定された画像に対して編集処理を行うことに用いられる。
【００２０】
実施形態２：
図２は本発明の実施形態２に係る、図１示す構造に基づく画像編集動作共有方法の実現フローチャートを示し、当該方法のプロセスは、以下のとおりである。
【００２１】
１、送信側は、共有プラットフォームへ画像編集動作情報を送信する。
【００２２】
本実施形態において、画像編集動作情報は、元の画像、少なくとも１つの編集動作が記憶されたファイル及び編集動作により元の画像に対して編集処理した後の画像を含むがこれらに限られない。ここで、編集動作は、少なくとも１つの編集コマンドと少なくとも１つの編集パラメータを含み、各編集コマンドが少なくとも１つの編集パラメータに対応する。
【００２３】
本実施形態において、各送信側が共有プラットフォームへ画像編集動作情報を送信する具体的なステップは、図３に示される。
【００２４】
ステップＳ３０１において、ユーザにより選定された元の画像を受信する。
【００２５】
本実施形態において、元の画像は、編集待ちの画像であり、ユーザは、切り取りまたはコピーの方式でクライアントの画像編集ウィンドウに、選定された元の画像を読み込むことができ、選定された画像の記憶経路に従ってその中から選定された元の画像を読み込むこともできる。
【００２６】
ステップ３０２において、元の画像についての編集トリガ動作を取り込んだ場合、対応する編集動作を記録する。
【００２７】
本実施形態において、ｗｉｎｄｏｗメッセージ応答関数で、選定された元の画像についての編集トリガ動作（例えばマウスのダブルクリック動作など）を取り込むことができる。元の画像についての編集トリガ動作を取り込んだ場合、対応する編集動作を記録し、当該編集動作のために１つの列挙値を定義して、ユーザが当該編集動作の具体的な意味を理解するのに便利になる。ここで、当該編集動作は、少なくとも１つの編集コマンドと少なくとも１つの編集パラメータを含む。
【００２８】
以下、例を挙げて説明し、元の画像についての編集トリガ動作（例えばマウスのダブルクリック）を取り込んだ場合、１つの変数名Ａｃｔ(１)で、対応する編集動作を表し、同時に当該編集動作のために１つの列挙値を「鮮明化画像」として定義し（即ち、マウスがダブルクリックすると、鮮明化画像への操作を行う必要があることを示す）、当該編集動作の目的が元の画像の解像度をより高くするためであることを示し、当該編集動作に含まれる画像輪郭補正、画像エッジ強調及びグレースケールホッピングなどの編集コマンドを記録し、ここで、各編集コマンドが少なくとも１つの編集パラメータに対応する。例えば、グレースケールホッピングコマンドに対応するのはグレースケールの設置パラメータなどである。
【００２９】
ステップ３０３において、元の画像の編集が完了された場合、元の画像に対する編集動作情報を共有プラットフォームに送信する。
【００３０】
本実施形態において、一連の編集動作（少なくとも１つの編集動作）を介して当該元の画像に対する編集処理を完了した後、当該編集動作シリーズを編集の順番で別にファイルに記憶する。同時に、当該元の画像、編集動作シリーズが記憶されたファイル及び編集動作シリーズで当該元の画像に対して編集処理を行った後の画像の画像編集動作情報を、共有プラットフォームに送信する。
【００３１】
２、共有プラットフォームは、各送信側から送信された画像編集動作情報を受信して記憶する。
【００３２】
本実施形態において、共有プラットフォームは、各送信側から送信された画像編集動作情報を受信した場合、重複な画像編集動作情報をフィルタリングし、フィルタリングされた画像編集動作情報を記憶するとともに、画像編集キーワードと画像編集動作情報との対応な記憶関係を確立する。
【００３３】
３、要求側は、共有プラットフォームへ画像編集動作情報の共有要求を送信する。
【００３４】
本実施形態において、要求側は、画像編集キーワードの方式で共有プラットフォームへ画像編集動作情報の共有要求を送信する。
【００３５】
４、共有プラットフォームは、共有要求に対応する画像編集動作情報を検索する。
【００３６】
本実施形態において、共有プラットフォームは、要求側から送信された共有要求を受信した場合、確立された画像編集キーワードと画像編集動作情報との対応する記憶関係によって、前記共有要求に対応する画像編集動作情報を検索する。
【００３７】
５、共有プラットフォームは、検索された、前記共有要求に対応する画像編集動作情報を要求側に送信する。
【００３８】
６、要求側は、共有プラットフォームから返された画像編集動作情報により、選定された画像に対して編集処理を行う。
【００３９】
本実施形態において、要求側が取得した画像編集動作情報は、画像編集動作を記憶するファイルであってよく、そして記憶の順番に従って当該ファイルにおける画像編集動作を順次に読み取り、画像編集動作によって選定された画像に対して直接に編集処理を行う。
【００４０】
本実施形態において、共有プラットフォームの画像編集動作情報を直接にスケジューリングすることで画像の自動的な編集を実現することにより、ユーザが一歩ずつに複雑な操作を行って画像の編集を実現する必要がなく、画像編集に対する各ユーザの繰り返し操作を効果的に減少し、画像編集の効率とユーザの満足度を向上した。
【００４１】
実施形態３：
図４は本実施形態３に係る画像編集動作の共有システムにおける送信側の構成構造を示し、説明の便宜上、本発明における実施形態に関連する部分のみを示す。
【００４２】
当該画像編集動作の共有システムにおける送信側１は、
共有プラットフォームへ画像編集動作情報を送信することに用いられる第１の情報送信ユニット１１を含む。ここで、図５に示すように、第１の情報送信ユニット１１は、具体的に、画像受信ユニット１１１、動作記録ユニット１１２及び第３の情報送信ユニット１１３を含み、各ユニットの具体的な機能は、以下の通りである。
【００４３】
画像受信ユニット１１１は、ユーザが選定した元の画像を受信することに用いられる。
【００４４】
動作記録ユニット１１２は、元の画像についての編集トリガ動作を取り込んだ場合、対応する編集動作を記録することに用いられる。
【００４５】
第３の情報送信ユニット１１３は、元の画像の編集が完了された場合、元の画像に対する編集動作情報を共有プラットフォームに送信することに用いられる。
【００４６】
本実施形態において、各ユニットの具体的な実施形態は、上記の通りであり、ここで繰り返して説明しない。
【００４７】
実施形態４：
図６は本発明における実施形態４に係る画像編集動作の共有システムにおける共有プラットフォームの構成構造を示し、説明の便宜上、本発明における実施形態に関連する部分のみを示す。
【００４８】
当該画像編集動作の共有システムにおける共有プラットフォーム２は、第１の情報受信ユニット２１、情報検索ユニット２２及び第２の情報送信ユニット２３を含む。ここで、各ユニットの具体的な機能は、以下の通りである。
【００４９】
第１の情報受信ユニット２１は、各送信側から送信された画像編集動作情報を受信して記憶することに用いられる。
【００５０】
情報検索ユニット２２は、要求側から送信された画像編集動作情報の共有要求を受信した場合、前記共有要求に対応する画像編集動作情報を検索することに用いられる。
【００５１】
第２の情報送信ユニット２３は、検索された、前記共有要求に対応する画像編集動作情報を要求側に送信することに用いられる。
【００５２】
本実施形態において、各ユニットの具体的な実施形態は、上記の通りであり、ここで繰り返して説明しない。
【００５３】
実施形態５：
図７は本発明における実施形態５に係る画像編集動作の共有システムにおける要求側の構成構造を示し、説明の便宜上、本発明の実施形態に関連する部分のみを示す。
【００５４】
当該画像編集動作の共有システムにおける要求側３は、要求送信ユニット３１、第２の情報受信ユニット３２及び編集処理ユニット３３を含む。ここで、各ユニットの具体的な機能は、以下の通りである。
【００５５】
要求送信ユニット３１は、共有プラットフォームへ画像編集動作情報の共有要求を受信することに用いられる。
【００５６】
第２の情報受信ユニット３２は、共有プラットフォームから返された、前記共有要求に対応する画像編集動作情報を受信することに用いられる。
【００５７】
編集処理ユニット３３は、共有プラットフォームから返された画像編集動作情報により、選定された画像に対して編集処理を行うことに用いられる。
【００５８】
本実施形態において、各ユニットの具体的な実施形態は、上記の通りであり、ここで繰り返して説明しない。
【００５９】
本分野の当業者は、前記実施形態の方法の全部または一部のプロセスは、コンピュータプログラムにより関連するハードウェアに指示することで完了されて実現することができ、前記プログラムは、コンピュータの読み取る可能な記憶媒体に記憶されることができ、当該プログラムは、実行される時に、上述した各方法の実施形態のプロセスを含むことができるのを理解できる。ここで、前記記憶媒体は、ディスク、光ディスク、読み出し専用メモリＲＯＭ（ＲＯＭ：Ｒｅａｄ−Ｏｎｌｙ  Ｍｅｍｏｒｙ）またはランダムアクセスメモリ（ＲＡＭ：Ｒａｎｄｏｍ  Ａｃｃｅｓｓ  Ｍｅｍｏｒｙ）などであってよい。
【００６０】
本発明の実施形態において、画像編集動作の共有システムでは、各ユニットの名称に現れる「第１」、「第２」、「第３」は、名称で各異なるユニットを区別するためであるが、意味上のプログレッシブがない。
【００６１】
本発明の実施形態において、共有プラットフォームにより各送信側から送信された画像編集動作情報を受信して記憶し、前記要求側から送信された画像編集動作情報の共有要求を受信した場合、前記共有要求に対応する画像編集動作情報を検索し、検索された画像編集動作情報を要求側に送信し、要求側が当該画像編集動作情報によって選定された画像に対して直接に編集処理を行い、編集済みの画像編集動作情報を共有することにより、各ユーザが一定の専門知識と専門スキルを持っている必要がなく、一歩ずつに複雑な操作を行うこともなく画像の編集を実現でき、操作が簡単であり、ユーザの満足度と画像編集の効率を大幅に向上し、より強い実用性を持っている。
【００６２】
以上は、本発明の最適的な実施例に過ぎなく、本発明に限定するものではない。本発明は、本発明の趣旨及び範囲を逸脱することなく実施された何ら修正、同一入れ替え及び改良等、すべて本発明の保護範囲に属する。
【図１】
2014524165.tif 000003
【図２】
2014524165.tif 000004
【図３】
2014524165.tif 000005
【図４】
2014524165.tif 000006
【図５】
2014524165.tif 000007
【図６】
2014524165.tif 000008
【図７】
2014524165.tif 000009
【国際調査報告】
2014524165.tif 000010
2014524165.tif 000011
2014524165.tif 000012
2014524165.tif 000013